(57)【要約】【課題】効率的な直流−直流変換器を有するディスプレイパネルの駆動装置を提供する。【解決手段】ディスプレイパネルの駆動装置は、主ディスプレイ制御部、アイコンディスプレイ制御部、ドットマトリックスディスプレイ制御部、アイコン駆動部、ドットマトリックス駆動部、第１直流−直流変換器、及び第２直流−直流変換器を含む。第１直流−直流変換器は、入力直流電圧をコイルによって昇圧し、昇圧された第１ブースト電圧を前記ドットマトリックス駆動部に供給する。第２直流−直流変換器は、前記入力直流電圧をキャパシタによって昇圧し、昇圧された第２ブースト電圧を前記アイコン駆動部に供給する。これにより、駆動電力の効率性が極大化されて応用装置の消費電力を減らすことができる。【選択図】図２
2004334197.tif 000002
【特許請求の範囲】
【請求項１】
入力されるアイコンデータによってあらかじめ設定されてディスプレイされるアイコンが存在するアイコン領域と、入力されるドットマトリックスデータによって可変的映像がディスプレイされるドットマトリックス領域とを具備するディスプレイパネルの駆動装置において、
入力映像データを前記アイコンデータと前記ドットマトリックスデータとに分類して出力する主ディスプレイ制御部と、
前記ディスプレイパネルの前記アイコン領域の内部配列に応じて、前記主ディスプレイ制御部からのアイコンデータを処理して出力すると同時にタイミング制御信号を出力するアイコンディスプレイ制御部と、
前記ディスプレイパネルの前記ドットマトリックス領域の内部配列に応じて、前記主ディスプレイ制御部からのドットマトリックスデータを処理して出力すると同時にタイミング制御信号を出力するドットマトリックスディスプレイ制御部と、
前記アイコンディスプレイ制御部からのアイコンデータ及びタイミング制御信号に応じて前記ディスプレイパネルの前記アイコン領域を駆動するアイコン駆動部と、
前記ドットマトリックスディスプレイ制御部からのドットマトリックスデータ及びタイミング制御信号に応じて前記ディスプレイパネルの前記ドットマトリックス領域を駆動するドット−マトリックス駆動部と、
入力直流電圧をコイルによって昇圧し、昇圧された第１ブースト電圧を前記ドットマトリックス駆動部に供給する第１直流−直流変換器と、
前記入力直流電圧をキャパシタによって昇圧し、昇圧された第２ブースト電圧を前記アイコン駆動部に供給する第２直流−直流変換器とを含むことを特徴とするディスプレイパネルの駆動装置。
【請求項２】
メモリを更に含み、
前記ドットマトリックスディスプレイ制御部によって前記主ディスプレイ制御部からのドットマトリックスデータが前記メモリに格納され、前記ドットマトリックスディスプレイ制御部から出力されるタイミング制御信号に応じて前記メモリに格納されたドットマトリックスデータが前記ドットマトリックスディスプレイ制御部によって読み出されて出力されることを特徴とする請求項１に記載のディスプレイパネルの駆動装置。
【発明の詳細な説明】
【技術分野】
【０００１】
本発明は、ディスプレイパネル、例えば、電界発光ディスプレイパネルの駆動装置に係り、より詳細には、入力されるアイコンデータによってあらかじめ設定されてディスプレイされるアイコンが存在するアイコン領域と、入力されるドットマトリックスデータによって可変的映像がディスプレイされるドットマトリックス領域とを具備するディスプレイパネルの駆動装置に関する。
【背景技術】
【０００２】
図１を参照すれば、一般的なディスプレイパネル３、例えば、携帯電話機に使われる電界発光ディスプレイパネルは、アイコン領域３１とドットマトリックス領域３２とを含む。特許文献１に詳細に説明されたように、アイコン領域３１には所定形状のアイコンをディスプレイするために相異なる形状のディスプレイセルが具備され、ドットマトリックス領域３２には可変的な映像をディスプレイするための同じ形状のディスプレイセルが規則的に設定される。
【０００３】
このようなディスプレイパネル３の一般的な駆動装置は、ディスプレイ制御部１、アイコン駆動部２１、ドットマトリックス駆動部２２、及び直流−直流変換器４を含む。ディスプレイ制御部１は、主ディスプレイ制御部１１、アイコンディスプレイ制御部１２、ドットマトリックスディスプレイ制御部１３、発振器１４、及びメモリ１５を含む。ディスプレイ制御部１は、入力直流電圧としてのバッテリー電圧ＶＢＡが若干調整された制御用直流電圧ＶＤＤによって動作する。
【０００４】
主ディスプレイ制御部１１は、入力映像データＤＩＭをアイコンデータＤＩＣとドットマトリックスデータＤＤＭとに分類して出力する。アイコンディスプレイ制御部１２は、ディスプレイパネル３のアイコン領域３１の内部配列に応じて、主ディスプレイ制御部１１からのアイコンデータＤＩＣを処理し、処理されたアイコンデータＤＩＣＤを出力すると同時にタイミング制御信号ＤＩＣＣを出力する。ドットマトリックスディスプレイ制御部１３は、ディスプレイパネル３のドットマトリックス領域３２の内部配列に応じて、主ディスプレイ制御部１１からのドットマトリックスデータＤＤＭを処理し、処理されたドットマトリックスデータＤＤＭＤを出力すると同時にタイミング制御信号ＤＤＭＣを出力する。ここで、主ディスプレイ制御部１１からのドットマトリックスデータＤＤＭは、ドットマトリックスディスプレイ制御部１３によってメモリ１５に格納される。また、ドットマトリックスディスプレイ制御部１３から出力されるタイミング制御信号ＤＤＭＣに応じて、メモリ１５に格納されたドットマトリックスデータＤＤＭＤがドットマトリックスディスプレイ制御部１３によって読み出されて出力される。一方、発振器１４は、一定の周波数のパルスよりなるクロック信号ＣＬＫ１を発生して、アイコンディスプレイ制御部１２及びドットマトリックスディスプレイ制御部１３に供給する。
【０００５】
アイコン駆動部２１は、アイコンディスプレイ制御部１２からのアイコンデータＤＩＣＤ及びタイミング制御信号ＤＩＣＣに応じてアイコン駆動信号ＳＩＣを発生してディスプレイパネル３のアイコン領域３１を駆動する。ドットマトリックス駆動部２２は、ドットマトリックスディスプレイ制御部１３からのドットマトリックスデータＤＤＭＤ及びタイミング制御信号ＤＤＭＣに応じてドットマトリックス駆動信号ＳＤＭを発生してディスプレイパネル３のドットマトリックス領域３２を駆動する。
【０００６】
単一の直流−直流変換器４は、入力直流電圧としてのバッテリー電圧ＶＢＡをコイルによって昇圧し、昇圧されたブースト電圧Ｖ１をドットマトリックス駆動部２２及びアイコン駆動部２１に供給する。
【０００７】
ここで、アイコン駆動部２１からのアイコン駆動信号ＳＩＣの必要電力は、ドットマトリックス駆動部２２からのドットマトリックス駆動信号ＳＤＭの必要電力よりかなり少ない。それにも拘わらず、前記のような一般的な駆動装置によれば、高い駆動電力に適切なコイル昇圧方式が採用された単一の直流−直流変換器４によって単一ブースト電圧Ｖ１がドットマトリックス駆動部２２及びアイコン駆動部２１に供給されるので、アイコン駆動部２１の消費電力が不要に多くなる問題点がある。このような問題点は、アイコン領域３１が常にディスプレイされる応用装置、例えば、携帯電話機などで顕著に現れ、使用者がバッテリーをすぐ充電しなければならない煩わしさも招く。
【特許文献１】米国特許第６，２３６，４４３号公報
【発明の開示】
【発明が解決しようとする課題】
【０００８】
本発明の目的は、アイコン領域とドットマトリックス領域とを具備するディスプレイパネルの駆動装置において、駆動電力の効率性を高めて応用装置の消費電力を減らし、使用者の便宜性を高める駆動装置を提供するところにある。
【課題を解決するための手段】
【０００９】
前記目的を達成するための本発明は、入力されるアイコンデータによってあらかじめ設定されてディスプレイされるアイコンが存在するアイコン領域と、入力されるドットマトリックスデータによって可変的映像がディスプレイされるドットマトリックス領域とを具備するディスプレイパネルの駆動装置として、主ディスプレイ制御部、アイコンディスプレイ制御部、ドットマトリックスディスプレイ制御部、アイコン駆動部、ドットマトリックス駆動部、第１直流−直流変換器、及び第２直流−直流変換器を含む。
【００１０】
前記主ディスプレイ制御部は、入力映像データを前記アイコンデータと前記ドットマトリックスデータとに分類して出力する。前記アイコンディスプレイ制御部は、前記ディスプレイパネルの前記アイコン領域の内部配列に応じて、前記主ディスプレイ制御部からのアイコンデータを処理して出力すると同時にタイミング制御信号を出力する。前記ドットマトリックス駆動部は、前記ディスプレイパネルの前記ドットマトリックス領域の内部配列に応じて、前記主ディスプレイ制御部からのドットマトリックスデータを処理して出力すると同時にタイミング制御信号を出力する。前記アイコン駆動部は、前記アイコンディスプレイ制御部からのアイコンデータ及びタイミング制御信号によって前記ディスプレイパネルの前記アイコン領域を駆動する。前記ドットマトリックス駆動部は、前記ドットマトリックスディスプレイ制御部からのドットマトリックスデータ及びタイミング制御信号に応じて前記ディスプレイパネルの前記ドットマトリックス領域を駆動する。前記第１直流−直流変換器は、前記入力直流電圧をコイルによって昇圧し、昇圧された第１ブースト電圧を前記ドットマトリックス駆動部に供給する。前記第２直流−直流変換器は、前記入力直流電圧をキャパシタによって昇圧し、昇圧された第２ブースト電圧を前記アイコン駆動部に供給する。
【発明の効果】
【００１１】
本発明によるディスプレイパネルの駆動装置によれば、高い駆動電力に適切なコイル昇圧方式が採用された第１直流−直流変換器によって第１ブースト電圧がドットマトリックス駆動部に供給され、低い駆動電力に適切なキャパシタ昇圧方式が採用された第２直流−直流変換器によって第２ブースト電圧がアイコン駆動部に供給される。これにより、駆動電力の効率性が高くなって応用装置の消費電力を減らすことができる。なぜなら、アイコン駆動部２１からのアイコン駆動信号ＳＩＣの必要電力は、ドットマトリックス駆動部２２からのドットマトリックス駆動信号ＳＤＭの必要電力よりかなり少ないからである。このような本発明の効果は、アイコン領域が常にディスプレイされる応用装置、例えば、携帯電話機などで顕著に現れ、使用者がバッテリーをすぐ充電しなくて済む。
【発明を実施するための最良の形態】
【００１２】
以下、本発明による望ましい実施形態を詳細に説明する。
【００１３】
図２に例示的に示すように、本発明の望ましい実施形態の装置によって駆動されるディスプレイパネル３、例えば、携帯電話機に使われる電界発光ディスプレイパネルは、アイコン領域３１とドットマトリックス領域３２とを含む。特許文献１に詳細に説明されたように、アイコン領域３１には所定形状のアイコンをディスプレイするために相異なる形状のディスプレイセルが具備され、ドットマトリックス領域３２には可変的な映像をディスプレイするための同じ形状のディスプレイセルが規則的に設定される。
【００１４】
このようなディスプレイパネル３についての本発明の望ましい実施形態の駆動装置は、ディスプレイ制御部１、アイコン駆動部２１、ドットマトリックス駆動部２２、第１直流−直流変換器４１、及び第２直流−直流変換器４２を含む。ディスプレイ制御部１は、主ディスプレイ制御部１１、アイコンディスプレイ制御部１２、ドットマトリックスディスプレイ制御部１３、発振器１４、及びメモリ１５を含む。ディスプレイ制御部１は、入力直流電圧としてのバッテリー電圧ＶＢＡが若干調整された制御用直流電圧ＶＤＤによって動作する。
【００１５】
主ディスプレイ制御部１１は、入力映像データＤＩＭをアイコンデータＤＩＣとドットマトリックスデータＤＤＭとに分類して出力する。アイコンディスプレイ制御部１２は、ディスプレイパネル３のアイコン領域３１の内部配列に応じて、主ディスプレイ制御部１１からのアイコンデータＤＩＣを処理し、処理されたアイコンデータＤＩＣＤを出力すると同時にタイミング制御信号ＤＩＣＣを出力する。ドットマトリックスディスプレイ制御部１３は、ディスプレイパネル３のドットマトリックス領域３２の内部配列に応じて、主ディスプレイ制御部１１からのドットマトリックスデータＤＤＭを処理し、処理されたドットマトリックスデータＤＤＭＤを出力すると同時にタイミング制御信号ＤＤＭＣを出力する。ここで、主ディスプレイ制御部１１からのドットマトリックスデータＤＤＭは、ドットマトリックスディスプレイ制御部１３によってメモリ１５に格納される。また、ドットマトリックスディスプレイ制御部１３から出力されるタイミング制御信号ＤＤＭＣに応じて、メモリ１５に格納されたドットマトリックスデータＤＤＭＤがドットマトリックスディスプレイ制御部１３によって読み出されて出力される。一方、発振器１４は、一定の周波数のパルスよりなるクロック信号ＣＬＫ１を発生して、アイコンディスプレイ制御部１２及びドットマトリックスディスプレイ制御部１３に供給する。
【００１６】
アイコン駆動部２１は、アイコンディスプレイ制御部１２からのアイコンデータＤＩＣＤ及びタイミング制御信号ＤＩＣＣに応じてアイコン駆動信号ＳＩＣを発生してディスプレイパネル３のアイコン領域３１を駆動する。ドットマトリックス駆動部２２は、ドットマトリックスディスプレイ制御部１３からのドットマトリックスデータＤＤＭＤ及びタイミング制御信号ＤＤＭＣに応じてドット−マトリックス駆動信号ＳＤＭを発生してディスプレイパネル３のドットマトリックス領域３２を駆動する。
【００１７】
第１直流−直流変換器４１は、入力直流電圧としてのバッテリー電圧ＶＢＡをコイルによって昇圧し、昇圧された第１ブースト電圧Ｖ１をドットマトリックス駆動部２２に供給する。第２直流−直流変換器４２は、入力直流電圧としてのバッテリー電圧ＶＢＡをキャパシタによって昇圧し、昇圧された第２ブースト電圧Ｖ２をアイコン駆動部２１に供給する。すなわち、高い駆動電力に適切なコイル昇圧方式が採用された第１直流−直流変換器４１によって第１ブースト電圧Ｖ１がドットマトリックス駆動部２２に供給され、低い駆動電力に適切なキャパシタ昇圧方式が採用された第２直流−直流変換器４２によって第２ブースト電圧Ｖ２がアイコン駆動部２１に供給される。
【００１８】
本発明は、上記の実施形態に限定されず、特許請求の範囲で定義された本発明の技術的思想の範囲内において当業者によって変形及び改良されうる。
【図面の簡単な説明】
【００１９】
【図１】一般的なディスプレイパネルの駆動装置を示す図面である。
【図２】本発明の望ましい実施形態のディスプレイパネルの駆動装置を示す図面である。
【符号の説明】
【００２０】
１  ディスプレイ制御部
３  ディスプレイパネル
４、４１、４２  直流−直流変換器
１１  主ディスプレイ制御部
１２  アイコンディスプレイ制御部
１３  ドット−マトリックスディスプレイ制御部
１４  発振器
１５  メモリ
２１  アイコン駆動部
２２  ドットマトリックス駆動部
３１  アイコン領域
３２  ドットマトリックス領域
ＤＩＭ  入力映像データ
ＤＩＣ、ＤＩＣＤ  アイコンデータ
ＤＤＭ、ＤＤＭＤ  ドットマトリックスデータ
ＣＬＫ１  クロック信号
ＤＩＣＣ、ＤＤＭＣ  タイミング制御信号
ＶＢＡ  バッテリー電圧
ＶＤＤ  制御用直流電圧
Ｖ１、Ｖ２  ブースト電圧
ＳＩＣ  アイコン駆動信号
ＳＤＭ  ドットマトリックス駆動信号
【図１】
2004334197.tif 000003
【図２】
2004334197.tif 000004